(57)【特許請求の範囲】
【請求項１】
内部にアンテナが収容されると共に下部内周面に切欠け凹部が設けられた金属製のケース本体と、
このケース本体の前記切欠け凹部内に挿入される突起部が円筒状に設けられ、前記ケース本体の裏側に取り付けられる金属製の裏蓋と、
この裏蓋の突起部と前記ケース本体の切欠け凹部内周面との間に設けられた合成樹脂製のリング部材とを備え、
前記切欠け凹部内周面に雌ねじが形成され、
前記リング部材の外周面には、前記切欠け凹部内周面の雌ねじに螺着される雄ねじが形成され、
前記リング部材の内周面には、前記裏蓋の突起部に形成された雄ねじが螺着される雌ねじが形成されていることを特徴とする機器ケース。
【請求項２】
前記突起部にはこれを分断するための切欠部が設けられていることを特徴とする請求項１に記載の機器ケース。
【請求項３】
内部に、標準時刻電波を受信するためのアンテナ及びこのアンテナで受信した標準時刻電波に基づいて時刻を修正する時計モジュールが収容され、
バンドにより腕に装着されることを特徴とする請求項１又は２に記載の機器ケース。
【請求項４】
請求項１〜３のいずれかに記載された機器ケースと、
この機器ケース内部に設けられた標準時刻電波を受信するためのアンテナと、
前記機器ケース内部に収容され、前記アンテナで受信した標準時刻電波に基づいて時刻を修正する時計モジュールと、
を備えたことを特徴とする電波時計。
【発明の詳細な説明】
【技術分野】
【０００１】
この発明は、機器ケースおよび電波時計に関する。
【背景技術】
【０００２】
例えば、時計においては、標準時刻電波を受信するアンテナを備え、このアンテナで受信した標準時刻電波に基づいて時刻を修正する電波時計が知られている。
このような電波時計では、アンテナの近傍に金属部材があると、この金属部材にアンテナで発生した磁界が通過することで渦電流が流れ、これによりアンテナの受信感度が低下するという問題がある。このため、腕時計型の電波時計では、ケース本体である腕時計ケース内にアンテナを収容した場合、腕時計ケースおよびその裏側に取り付けられる裏蓋が金属製であると、上述した理由により十分な受信感度が得られない。
【０００３】
そこで、従来の電波時計においては、特許文献１に記載されているように、腕時計ケースおよび裏蓋のうち、少なくとも裏蓋を非金属で形成することで、腕時計ケース内に収容されたアンテナの受信感度の低下を防いでいる。
【特許文献１】特開２００１−３３５７１号
【発明の開示】
【発明が解決しようとする課題】
【０００４】
しかしながら、このような従来の電波時計では、裏蓋を非金属で形成しているため、腕時計ケースおよび裏蓋の双方を金属で形成した場合と比較して、外観や質感、重量感が低下し、高級感が劣るという問題がある。
【０００５】
この発明が解決しようとする課題は、ケース本体および裏蓋を金属で形成しても、内部に収容されるアンテナの受信感度を低下させることのない機器ケースおよび電波時計を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１記載の発明は、図４に示すように、内部にアンテナが収容されると共に下部内周面に切欠け凹部（２１）が設けられた金属製のケース本体（３）と、このケース本体の前記切欠け凹部内に挿入される突起部（２３）が円筒状に設けられ、前記ケース本体の裏側に取り付けられる金属製の裏蓋（６）と、この裏蓋の突起部と前記ケース本体の切欠け凹部内周面との間に設けられた合成樹脂製のリング部材（２２）とを備え、前記切欠け凹部内周面に雌ねじ（２５）が形成され、前記リング部材の外周面には、前記切欠け凹部内周面の雌ねじに螺着される雄ねじ（２４）が形成され、前記リング部材（２２）の内周面には、前記裏蓋の突起部に形成された雄ねじ（１３）が螺着される雌ねじ（１１）が形成されていることを特徴とする機器ケースである。
【００１１】
請求項２に記載の発明は、図４に示すように、前記突起部（２３）には、これを分断するための切欠部（１４）が設けられていることを特徴とする請求項１に記載の機器ケースである。
【００１４】
請求項３に記載の発明は、図４に示すように、内部に、標準時刻電波を受信するためのアンテナ（７）及びこのアンテナで受信した標準時刻電波に基づいて時刻を修正する時計モジュール（２）が収容され、バンドにより腕に装着されることを特徴とする請求項１又は２に記載された機器ケースである。
【００１５】
請求項４に記載の発明は、図４に示すように、請求項１〜３のいずれかにに記載された機器ケースと、この機器ケース内部に設けられた標準時刻電波を受信するためのアンテナ（７）と、前記機器ケース内部に収容され、前記アンテナで受信した標準時刻電波に基づいて時刻を修正する時計モジュール（２）と、を備えたことを特徴とする電波時計である。
【発明の効果】
【００１８】
請求項１に記載の発明によれば、ケース本体と裏蓋の突起部との間に介在されたリング部材によってケース本体と裏蓋との間の電気抵抗を増大させることができる。このため、金属製のケース本体と金属製の裏蓋とに、ケース本体内のアンテナによって発生した磁界が通過することにより電流が流れるが、ケース本体と裏蓋との間の電気抵抗が増大していることにより、ケース本体および裏蓋を還流する電流を抑制することができる。これにより、ケース本体および裏蓋を金属で形成しても、内部に収容されるアンテナの受信感度の低下を防ぐことができる。
【００２１】
請求項２に記載の発明によれば、突起部にこれを分断するための切欠部が設けられていることにより、ケース本体に設けられた金属製のリング部材に裏蓋の突起部を螺合させて締め付けるときに、切欠部によって分断された突起部が金属製のリング部材に結合する結合力を小さく抑えることができ、これにより金属製のリング部材と裏蓋の突起部との結合面積を減少させることができると共に、切欠部によって突起部全体の体積をも減少させることができるので、これによってもケース本体と裏蓋との間の電気抵抗を増大させることができる。
【００２５】
請求項３に記載の発明によれば、内部に、標準時刻電波を受信するためのアンテナ及びこのアンテナで受信した標準時刻電波に基づいて時刻を修正する時計モジュールが収容され、バンドにより腕に装着されることを特徴とする請求項１又は２に記載された機器ケースであることにより、ケース本体および裏蓋が金属で形成された、腕時計ケース等の腕に装着される機器ケースであっても、請求項１又は２に記載された発明と同様、内部に収容されるアンテナの受信感度の低下を防ぐことができる。
【００２６】
請求項４に記載の発明によれば、請求項１〜３のいずれかに記載された機器ケースと、この機器ケース内部に設けられた標準時刻電波を受信するためのアンテナと、前記機器ケース内部に収容され、前記アンテナで受信した標準時刻電波に基づいて時刻を修正する時計モジュールと、を備えたことを特徴とする電波時計であることにより、機器ケースが金属製であっても、請求項１〜３のいずれかに記載された発明と同様、内部に収容されるアンテナの受信感度の低下を防ぐことができ、これによりアンテナで受信した標準時刻電波に基づいて時計モジュールの時刻を正確に且つ確実に修正することができる。
【発明を実施するための最良の形態】
【００２７】
（実施形態１）
以下、図１〜図３を参照して、この発明を適用した電波時計の実施形態１について説明する。
図１はこの電波時計の要部を示した拡大断面図、図２は図１の電波時計の裏蓋を示した平面図である。
この電波時計は、図１に示すように、腕時計であり、腕時計ケース１を備えている。この腕時計ケース１は、上下に開口されて内部に時計モジュール２を収容するケース本体３と、このケース本体３の上部中央部にパッキン４ａを介して装着された時計ガラス４と、ケース本体３の下面に防水リング５を介して取り付けられた裏蓋６とを備えている。なお、腕時計ケース１には、腕時計ケース１を腕に装着するためのバンド（図示せず）が取り付けられている。
【００２８】
時計モジュール２は、時刻表示部やＬＳＩなどの時計機能に必要な各種の電子部品を備えているほか、標準時刻電波を受信するアンテナ７を備え、このアンテナ７で受信した標準時刻電波に基づいて時刻を修正するように構成されている。この場合、時刻表示部は、指針を運針させて時刻を指示するアナログムーブメント、または時刻などの情報を電気光学的に表示する平面型の表示素子、あるいはアナログムーブメントと表示素子との双方を備えたものである。
【００２９】
アンテナ７は、バーアンテナであり、アモルファスやフェライトなどの比透磁率が高く、導電率が小さい磁性材料で形成された棒状のコアと、このコアの周囲に銅などの導線を巻付けたコイルとを備え、電波による磁界中に置かれると、この磁界による磁束が周囲空間よりも比透磁率が高いコアに集中してコイルに鎖交し、このコイルに磁束変化を妨げる向きに磁界を発生させるように誘導起電力が生じる構成になっている。
【００３０】
時計モジュール２の回路構成は、回路全般を制御する制御部と、アンテナ７のコイルに発生した誘導起電力を検出して標準時刻のデータを取り出す受信回路と、発振器に基づいて現在時刻を計時する計時回路とを有し、受信回路で取り出された標準時刻データに基づいて制御部が計時回路による計時時刻を修正すると共に、時刻表示部を制御して修正された現在時刻を指示表示するように構成されている。
【００３１】
ところで、ケース本体３は、ステンレスやチタンなどの強度の高い金属で形成されており、このケース本体３の上部外周面には、図１に示すように、装飾用のベゼル８が取り付けられている。また、このケース本体３の内部における時計ガラス４の下側には、ケース本体３の内周に沿って見切り部材９が配置されている。また、ケース本体３の下部内周面には、図１に示すように、切欠け凹部１０がケース本体３の内周に沿って設けられており、この切欠け凹部１０の内周面には、雌ねじ１１が螺旋状に連続して形成されている。
【００３２】
一方、裏蓋６は、ケース本体３と同様、ステンレスやチタンなどの強度の高い金属でほぼ円板状に形成されている。この場合、裏蓋６には、図１〜図３に示すように、ケース本体３の下部内周面に設けられた切欠け凹部１０内に挿入する突起部１２が円筒状に設けられている。この突起部１２の外周面には、ケース本体３の切欠け凹部１０の内周面に設けられた雌ねじ１１に螺合する雄ねじ１３が設けられている。
【００３３】
また、この突起部１２には、図２に示すように、複数の切欠部１４が設けられている。この複数の切欠部１４は、図２に示すように、円筒状の突起部１２を複数に分断することにより、ケース本体３の雌ねじ１１に突起部１２の雄ねじ１３を螺合するときに、ケース本体３に対する突起部１２の結合力を小さく抑えるように構成されている。
【００３４】
このような腕時計ケース１では、内部にアンテナ７が収容される金属製のケース本体３の内周面に雌ねじ１１を設け、このケース本体３の裏側に取り付けられる金属製の裏蓋６に、ケース本体３内に挿入して雌ねじ１１に対向する突起部１２を円筒状に設け、この突起部１２の外周面に雌ねじ１１に螺合する雄ねじ１３を設けると共に、この突起部１２にこれを分断するための複数の切欠部１４を設けているので、ケース本体３の雌ねじ１１に裏蓋６の突起部１２の雄ねじ１３を螺合させて締め付けるときに、複数の切欠部１４によって複数に分断された突起部１２がケース本体３に結合する結合力を小さく抑えることができ、これによりケース本体３と裏蓋６との結合面積を減少させることができる。
【００３５】
このため、ケース本体３と裏蓋６との結合面積が減少していることにより、ケース本体３と裏蓋６との間の電気抵抗を増大させることができると共に、特に複数の切欠部１４によって突起部１２が複数に分断されていることにより、突起部１４全体の体積をも減少させることができるので、これによってもケース本体３と裏蓋６との間の電気抵抗を増大させることができる。この場合、切欠部１４の数および大きさを変更することにより、ケース本体３に対する突起部１２の結合力を最小限に抑えることができると共に、突起部１４全体の体積をも最小限に減少させることができる。
【００３６】
従って、この腕時計ケース１によれば、金属製のケース本体３と金属製の裏蓋６とに、ケース本体３内のアンテナ７によって発生した磁界が通過することにより電流が流れるが、ケース本体３と裏蓋６との間の電気抵抗が大きいことにより、ケース本体３および裏蓋６を還流する電流を抑制することができる。これにより、ケース本体３および裏蓋６を金属で形成しても、内部に収容されるアンテナ７の受信感度の低下を防ぐことができる。
【００３７】
このように、この電波時計によれば、ケース本体３が、標準時刻電波を受信するためのアンテナ７を有し、このアンテナ７で受信した標準時刻電波に基づいて時刻を修正する時計モジュール２を収容し、このケー本体３の裏側に裏蓋６を取り付けた腕時計ケース１を備えていることにより、腕時計ケース１が金属製であっても、上述したように、内部に収容されるアンテナ７の受信感度の低下を防ぐことができるので、アンテナ７で受信した標準時刻電波に基づいて時計モジュール２の時刻を正確に且つ確実に修正することができ、これにより常に正確な現在時刻を知ることができる。
【００３８】
（実施形態２）
次に、図４を参照して、この発明を適用した電波時計の実施形態２について説明する。なお、図１〜図３に示された実施形態１と同一部分には同一符号を付して説明する。
この電波時計の腕時計ケース２０は、ケース本体３に対する裏蓋６の取付構造が実施形態１と異なり、これ以外は実施形態１とほぼ同じ構成になっている。
【００３９】
すなわち、この腕時計ケース２０は、アンテナ７を収容するケース本体３の下部内周面に切欠け凹部２１をケース本体３の内周に沿って設け、この切欠け凹部２１内にリング部材２２を設け、このリング部材２２の内周面に雌ねじ１１を設け、裏蓋６にはケース本体３内に挿入して雌ねじ１１に対向する突起部２３を円筒状に設け、この円筒状の突起部２３の外周面に雄ねじ１３を設け、この突起部２３の雄ねじ１３をリング部材２２の雌ねじ１１に螺合させることにより、ケース本体３に裏蓋６を取り付けた構成になっている。
【００４０】
この場合、リング部材２２は、合成樹脂で形成され、図４に示すように、その外周面に雄ねじ２４が設けられ、この雄ねじ２４がケース本体３の切欠け凹部２１の内周面に設けられた雌ねじ２５に螺着することにより、ケース本体３の切欠け凹部２１内に取り付けられている。また、このリング部材２２は、図４に示すように、その高さがケース本体３の切欠け凹部２１の高さよりも少し高く形成され、これによりリング部材２２の雌ねじ１１に裏蓋６の突起部２３の雄ねじ１３が螺合したときに、ケース本体３の下面とこれに対向する裏蓋６の上面との間に隙間Ｓを設けるように構成されている。
【００４１】
このような腕時計ケース２０では、内部にアンテナ７が収容される金属製のケース本体３の内周面にリング部材２２を設け、このリング部材２２の内周面に雌ねじ１１を設け、ケース本体３の裏側に取り付けられる金属製の裏蓋６に、ケース本体３内に挿入してリング部材２２の雌ねじ１１に対向する突起部２３を円筒状に設け、この円筒状の突起部２３の外周面に雌ねじ１１に螺合する雄ねじ１３を設けているので、ケース本体３に設けられたリング部材２２の雌ねじ１１に裏蓋６の突起部２３の雄ねじ１３を螺合させて締め付けるときに、合成樹脂製のリング部材２２が緩衝性を有することによって、ケース本体３に対する裏蓋６の突起部１２の結合力を小さく抑えることができる。
【００４２】
すなわち、リング部材２２は、合成樹脂で形成されているので、ケース本体３に設けられたリング部材２２の雌ねじ１１に裏蓋６の突起部２３の雄ねじ１３を螺合させて締め付けるときに、合成樹脂製のリング部材２２がケース本体３と裏蓋６との間に挟まれて変形することにより、ケース本体３に対する突起部２３の結合力を最小限に抑えることができる。この場合、特にリング部材２２は、合成樹脂で形成されているので、ケース本体３と裏蓋６の突起部２３との導通を防ぐことができると共に、リング部材２２の高さがケース本体３の切欠け凹部２１の高さよりも少し高く形成されているので、ケース本体３の下面とこれに対面する裏蓋６の上面との間に隙間Ｓを設けることができる。
【００４３】
このため、合成樹脂製のリング部材２２によってケース本体３に対する突起部２３の結合力を最小限に抑えていることにより、ケース本体３と裏蓋６との間の電気抵抗を増大させることができるほか、特に合成樹脂製のリング部材２２によってケース本体３と裏蓋６の突起部２３との導通を防ぐと共に、ケース本体３の下面とこれに対面する裏蓋６の上面との間に隙間Ｓを設けているので、ケース本体３と裏蓋６との間の電気抵抗を大幅に増大させることができる。
【００４４】
従って、この腕時計ケース２０によれば、金属製のケース本体３と金属製の裏蓋６とに、ケース本体３内のアンテナ７によって発生した磁界が通過することにより電流が流れるが、ケース本体３と裏蓋６との間の電気抵抗が大幅に増大していることにより、ケース本体３および裏蓋６を還流する電流を大幅に抑制することができる。これにより、ケース本体３および裏蓋６を金属で形成しても、内部に収容されるアンテナ７の受信感度の低下を防ぐことができ、アンテナ７で受信した標準時刻電波に基づいて時計モジュール２の時刻を正確に且つ確実に修正することができる。
【００４５】
なお、上記実施形態２は、リング部材２２を合成樹脂で形成した場合について述べたが、これに限らず、例えばリング部材２２をステンレスなどの金属で形成しても良い。この場合にも、リング部材２２は、その高さがケース本体３の切欠け凹部２１の深さよりも少し高く形成され、これによりケース本体３の下面とこれに対面する裏蓋６の上面との間に隙間Ｓを設けるように構成されている。
【００４６】
このような構成でも、金属製のリング部材２２がケース本体３と裏蓋６の突起部２３との間に介在されていることにより、ケース本体３と裏蓋６との間の電気抵抗を増大させることができると共に、金属製のリング部材２２によってケース本体３の下面とこれに対面する裏蓋６の上面との間に隙間Ｓを設けることができるので、これによってもケース本体３と裏蓋６との間の電気抵抗を増大させることができ、これにより内部に収容されるアンテナ７の受信感度の低下を防ぐことができる。
【００４７】
また、上記実施形態２の変形例では、裏蓋６の突起部２３を円筒状に設けた場合について述べたが、これに限らず、例えば実施形態１と同様、円筒状の突起部２３にこれを複数に分断する複数の切欠部１４を設けても良い。このように構成すれば、リング部材２２が金属で形成されていても、ケース本体３の雌ねじ１１に裏蓋６の突起部２３の雄ねじ１３を螺合させて締め付けるときに、複数の切欠部１４によって複数に分断された突起部２３がケース本体３に結合する結合力を小さく抑えることができ、これによりケース本体３と裏蓋６との結合面積を減少させることができるので、これによってもケース本体３および裏蓋６との電気抵抗を増大させることができ、内部に収容されるアンテナ７の受信感度の低下を防ぐことができる。
【００４８】
（実施形態３）
次に、図５を参照して、この発明を適用した電波時計の実施形態３について説明する。この場合にも、図１〜図３に示された実施形態１と同一部分に同一符号を付して説明する。
この電波時計の腕時計ケース３０は、ケース本体３の下面とこれに対面する裏蓋６の上面との間に緩衝用のスペーサ部材３１を設けた構成で、これ以外は実施形態１とほぼ同じ構成になっている。
【００４９】
この場合、ケース本体３の下面には、図５に示すように、ケース本体３の外周に沿って凹溝３２がリング状に設けられている。スペーサ部材３１は、合成樹脂で形成され、図５に示すように、ケース本体３の下面に設けられたリング状の凹溝３２内に挿入され、この状態で下端面が裏蓋６に対応するケース本体３の下面から少し突出し、これにより裏蓋６の上面とこれに対応するケース本体３の下面との間に隙間Ｓを形成するように構成されている。
【００５０】
この場合にも、アンテナ７を収容するケース本体３の下部内周面には、図５に示すように、切欠け凹部１０がケース本体３の内周に沿って設けられており、この切欠け凹部１０の内周面には、雌ねじ１１が設けられている。また、裏蓋６には、図５に示すように、ケース本体３の切欠け凹部１０内に挿入して雌ねじ１１に対向する突起部１２が円筒状に設けられおり、この円筒状の突起部１２の外周面には、ケース本体３の雌ねじ１１に螺合する雄ねじ１３が設けられている。
【００５１】
このような電波時計の腕時計ケース３０では、内部にアンテナ７が収容される金属製のケース本体３の内周面に雌ねじ１１を設け、このケース本体３の裏側に取り付けられる金属製の裏蓋６に、ケース本体３の切欠け凹部１０内に挿入して雌ねじ１１に対向する突起部１２を円筒状に設け、この突起部１２の外周面に雌ねじ１１に螺合する雄ねじ１３を設け、ケース本体３の下面とこれに対面する裏蓋６の上面との間に緩衝用のスペーサ部材３１を設けているので、ケース本体３の雌ねじ１１に裏蓋６の突起部１２の雄ねじ１３を螺合させて締め付けるときに、緩衝用のスペーサ部材３１によってケース本体３の下面とこれに対面する裏蓋６の上面とが突き当たる強度を緩和することができ、これによりケース本体３に対する突起部１２の結合力を小さく抑えることができる。
【００５２】
すなわち、スペーサ部材３１は、合成樹脂で形成されているので、ケース本体３に設けられたスペーサ部材３１の雌ねじ１１に裏蓋６の突起部１２の雄ねじ１３を螺合させて締め付けるときに、合成樹脂製のスペーサ部材３１がケース本体３と裏蓋６との間に挟まれて変形することにより、ケース本体３の下面とこれに対面する裏蓋６の上面とが突き当たる強度を緩和することができ、これによりケース本体３に対する突起部１２の結合力を小さく抑えることができる。
【００５３】
この場合、スペーサ部材３１は、合成樹脂で形成されているので、ケース本体３の下面とこれに対向する裏蓋６との導通を防ぐことができるほか、特にスペーサ部材３１の高さがケース本体３の下面に設けられた凹溝３２の深さよりも少し高く形成されているので、スペーサ部材３１によってケース本体３の下面とこれに対面する裏蓋６の上面との間に隙間Ｓを設けることができる。
【００５４】
このため、ケース本体３に対する突起部１２の結合力が小さく抑えられていることにより、ケース本体３と裏蓋６との間の電気抵抗を増大させることができるほか、特に合成樹脂製のスペーサ部材３１によってケース本体３の下面とこれに対向する裏蓋６との導通を防ぐと共に、ケース本体３の下面とこれに対面する裏蓋６の上面との間に隙間Ｓが設けられていることにより、これによってもケース本体３と裏蓋６との間の電気抵抗を増大させることができる。
【００５５】
従って、この腕時計ケース３０によれば、金属製のケース本体３と金属製の裏蓋６とに、ケース本体３内のアンテナ７によって発生した磁界が通過することにより電流が流れるが、ケース本体３と裏蓋６との間の電気抵抗が大幅に増大していることにより、ケース本体３および裏蓋６を還流する電流を大幅に抑制することができる。これにより、ケース本体３および裏蓋６を金属で形成しても、内部に収容されるアンテナ７の受信感度の低下を防ぐことができ、アンテナ７で受信した標準時刻電波に基づいて時計モジュール２の時刻を正確に且つ確実に修正することができる。
【００５６】
なお、上記実施形態３では、スペーサ部材３１を合成樹脂で形成した場合について述べたが、これに限らず、緩衝用のスペーサ部材３１をステンレスなどの金属で形成しても良い。この場合、緩衝用のスペーサ部材３１は、スプリングワッシャなどのようにばね性を有し、ケース本体３の下面とこれに対面する裏蓋６の上面との間に隙間Ｓを設けるように構成することが望ましい。
【００５７】
このように構成しても、緩衝用のスペーサ部材３１によってケース本体３の下面とこれに対面する裏蓋６の上面とが突き当たる強度を緩和してケース本体３に対する突起部１２の結合力を小さく抑えることができると共に、スペーサ部材３１が裏蓋６に接触する面積が小さく、ケース本体３の下面とこれに対面する裏蓋６の上面との間に隙間Ｓが設けられることにより、ケース本体３および裏蓋６との電気抵抗を増大させることができるので、実施形態３とほぼ同様の作用効果がある。
【００５８】
また、上記実施形態３では、裏蓋６に突起部１２を円筒状に設けた場合について述べたが、これに限らず、例えば実施形態１と同様、円筒状の突起部１２にこれを複数に分断する複数の切欠部１４を設けても良い。このように構成すれば、実施形態１と同様、ケース本体３の雌ねじ１１に裏蓋６の突起部１２の雄ねじ１３を螺合させて締め付けるときに、複数の切欠部１４によって複数に分断された突起部１２のケース本体３に対する結合力を抑えることができ、これによりケース本体３と裏蓋６との結合面積を減少させることができると共に、突起部１２全体に体積をも減少させることができるので、これによってもケース本体３と裏蓋６との間の電気抵抗を増大させることができる。
【００５９】
なおまた、上記実施形態１〜３およびその変形例では、腕時計に適用した場合について述べたが、必ずしも腕時計である必要はなく、トラベルウオッチ、目覚し時計、置き時計、掛け時計などの各種時計に適用することができるほか、携帯電話機などの電子機器にも適用することができる。
【図面の簡単な説明】
【００６０】
【図１】この発明を適用した腕時計の要部を示した拡大断面図である。（実施形態１）
【図２】図１の裏蓋を示した拡大平面図である。
【図３】図２の裏蓋における要部の断面を示し、（ａ）は図２のＡ−Ａ矢視における拡大断面図、（ｂ）は図２のＢ−Ｂ矢視における拡大断面図である。
【図４】この発明を適用した腕時計の要部を示した拡大断面図である。（実施形態２）
【図５】この発明を適用した腕時計の要部を示した拡大断面図である。（実施形態３）
【符号の説明】
【００６１】
１、２０、３０  腕時計ケース
２  時計モジュール
３  ケース本体
６  裏蓋
７  アンテナ
１０、２１  切欠け凹部
１１  雌ねじ
１２、２３  突起部
１３  雄ねじ
１４  切欠部
２２  リング部材
３１  スペーサ部材
【図１】
0004687530.tif 000002
【図２】
0004687530.tif 000003
【図３】
0004687530.tif 000004
【図４】
0004687530.tif 000005
【図５】
0004687530.tif 000006